(57)【特許請求の範囲】
【請求項１】
壁(16)、窓枠又は天井に取付けられるカーテンレール(12)と、このカーテンレール(12)に沿って移動可能に取付けられ窓(14)を覆うか又は部屋を区画するために用いられるカーテン本体(13)とを備えたカーテンにおいて、
前記カーテン本体(13)の両側縁のうち少なくとも一側縁に係止手段(46)が取外し不能又は取外し可能に取付けられ、
前記カーテン本体(13)によって前記窓(14)を覆った状態又は前記部屋を区画した状態で前記係止手段(46)を係止可能な被係止手段(47)が前記係止手段(46)に対向する壁(16)、窓枠又は柱に取付けられ、
前記係止手段(46)が、強磁性体により形成された係止部(46a)と、前記カーテン本体(13)の側縁を一時的に保持可能なクリップ部(46b)とを有し、
前記被係止手段(47)が、前記壁(16)、窓枠又は柱に取付けられプラスチックにより形成された取付部(47c)と、一端が前記取付部(47c)の一端に回動可能に枢着され強磁性体により形成されかつ前記取付部(47c)に対して折畳んだときに露出する面に凹部(47e)が形成された保持部(47b)と、前記凹部(47e)に収容可能に構成され永久磁石により形成されかつ前記凹部(47e)内に磁力により吸着された状態で固定される被係止部(47a)とを有し、
前記クリップ部(46b)が前記カーテン本体(13)の側縁を保持した状態で前記係止部(46a)が前記被係止部(47a)に磁力により吸着されるように構成された
ことを特徴とするカーテンの光漏れ防止具。
【請求項２】
壁(16)、窓枠又は天井に取付けられるカーテンレール(12)と、このカーテンレール(12)に沿って移動可能に取付けられ窓(14)を覆うか又は部屋を区画するために用いられるカーテン本体(13)とを備えたカーテンにおいて、
前記カーテン本体(13)の両側縁のうち少なくとも一側縁に係止手段(56)が取外し不能又は取外し可能に取付けられ、
前記カーテン本体(13)によって前記窓(14)を覆った状態又は前記部屋を区画した状態で前記係止手段(56)を係止可能な被係止手段(47)が前記係止手段(56)に対向する壁(16)、窓枠又は柱に取付けられ、
前記係止手段(56)が、強磁性体により形成された係止部(56a)と、前記カーテン本体(13)を挟んで互いに離脱可能に結合される一対の挟持部(56b,56c)とを有し、
前記被係止手段(47)が、前記壁(16)、窓枠又は柱に取付けられプラスチックにより形成された取付部(47c)と、一端が前記取付部(47c)の一端に回動可能に枢着され強磁性体により形成されかつ前記取付部(47c)に対して折畳んだときに露出する面に凹部(47e)が形成された保持部(47b)と、前記凹部(47e)に収容可能に構成され永久磁石により形成されかつ前記凹部(47e)内に磁力により吸着された状態で固定される被係止部(47a)とを有し、
前記一対の挟持部(56b,56c)が前記カーテン本体(13)を挟んで互いに結合された状態で前記係止部(56a)が前記被係止手段(47)の被係止部(47a)に磁力により吸着されるように構成された
ことを特徴とするカーテンの光漏れ防止具。
【請求項３】
壁(16)、窓枠又は天井に取付けられるカーテンレール(12)と、このカーテンレール(12)に沿って移動可能に取付けられ窓(14)を覆うか又は部屋を区画するために用いられるカーテン本体(13)とを備えたカーテンにおいて、
前記カーテン本体(13)の両側縁のうち少なくとも一側縁に係止手段(66)が取外し不能又は取外し可能に取付けられ、
前記カーテン本体(13)によって前記窓(14)を覆った状態又は前記部屋を区画した状態で前記係止手段(66)を係止可能な被係止手段(67)が前記係止手段(66)に対向する壁(16)、窓枠又は柱に取付けられ、
前記係止手段(66)が、強磁性体により形成された係止部(66a)を有し、
前記被係止手段(67)が、前記壁(16)、窓枠又は柱に取付けられプラスチックにより形成された取付部(67c)と、一端が前記取付部(67c)の一端に回動可能に枢着され強磁性体により形成されかつ前記取付部(67c)に対して折畳んだときに露出する面に凹部(67e)が形成された保持部(67b)とを有し、
前記保持部(67b)が前記係止部(66a)を磁力により吸着させる前記被係止部(67a)としての機能を有し、
前記係止手段(66)の係止部(66a)が前記カーテン本体(13)を挟んだ状態で前記被係止手段(67)の被係止部(67a)に磁力により吸着されるように構成された
ことを特徴とするカーテンの光漏れ防止具。
【請求項４】
前記カーテン本体(83)を束ねるタッセル(87)が前記壁(16)、前記窓枠又は前記柱に取付けられた房掛け(86)に係止可能に構成され、前記被係止手段(84)の被係止部(84a)が前記房掛け(86)に設けられた請求項１ないし３いずれか１項に記載のカーテンの光漏れ防止具。
【発明の詳細な説明】
【技術分野】
【０００１】
本発明は、カーテンにより窓を覆ったときにカーテンの側縁から室外の光が室内に侵入するのを防止する光漏れ防止具に関するものである。
【背景技術】
【０００２】
従来、開閉操作される片側垂れ下がりカーテンの合わせ縁に第１止着体が取付けられ、この第１止着体の相手方部材を形成する第２止着体が上記垂れ下がりカーテンと対をなして開閉操作される他側垂れ下がりカーテンの合わせ縁に取付けられたカーテン合わせ具が開示されている（例えば、特許文献１参照。）。このカーテン合わせ具では、第１及び第２止着体が、これらの少なくとも一方側に保持された磁石の吸着作用によって互いに吸着可能な着磁面を有する。また第１及び第２止着体は、これらが装着された上記垂れ下がりカーテンの合わせ縁の垂れ下がり姿勢を維持させる重りとしての機能を有する。
【０００３】
このように構成されたカーテン合わせ具では、カーテンを閉めたときに左右のカーテンの合わせ縁同士を離れないように自然に結合するため、カーテンが風に煽られて開いたり或いはばたつくことを防止できるようになっている。
【先行技術文献】
【特許文献】
【０００４】
【特許文献１】実用新案登録第３０９０３８２号公報（請求項１、段落［００３２］、図４及び図５）
【発明の概要】
【発明が解決しようとする課題】
【０００５】
しかし、上記従来の特許文献１に示されたカーテン合わせ具では、カーテンを閉めたときに、左右のカーテンの合わせ縁ではない側縁が固定されていないため、この非固定側縁が風に煽られてはためき、非固定側縁と壁面との隙間が大きくなって、この隙間から室外の光が室内に侵入する不具合があった。
【０００６】
本発明の目的は、カーテン本体により窓を覆ったとき又は部屋を区画したときに、室外の光又は区画された隣室の光がカーテン本体の側縁から室内に侵入するのを確実に防止できる、カーテンの光漏れ防止具を提供することにある。本発明の別の目的は、被係止手段の被係止部、第２面ファスナ又は受け部を房掛けに設けることにより、部品点数の増大を抑制できるとともに、房掛けを壁等に取付けることにより、必然的に被係止手段が壁等に取付けられ、被係止手段自体の壁等への取付作業を不要にすることができる、カーテンの光漏れ防止具を提供することにある。
【課題を解決するための手段】
【０００９】
本発明の第１の観点は、図４に示すように、壁１６、窓枠又は天井に取付けられるカーテンレール１２と、このカーテンレール１２に沿って移動可能に取付けられ窓１４を覆うか又は部屋を区画するために用いられるカーテン本体１３とを備えたカーテンにおいて、カーテン本体１３の両側縁のうち少なくとも一側縁に係止手段４６が取外し不能又は取外し可能に取付けられ、カーテン本体１３によって窓１４を覆った状態又は部屋を区画した状態で係止手段４６を係止可能な被係止手段４７が係止手段４６に対向する壁１６、窓枠又は柱に取付けられ、係止手段４６が、強磁性体により形成された係止部４６ａと、カーテン本体１３の側縁を一時的に保持可能なクリップ部４６ｂとを有し、被係止手段４７が、壁１６、窓枠又は柱に取付けられプラスチックにより形成された取付部４７ｃと、一端が取付部４７ｃの一端に回動可能に枢着され強磁性体により形成されかつ取付部４７ｃに対して折畳んだときに露出する面に凹部４７ｅが形成された保持部４７ｂと、凹部４７ｅに収容可能に構成され永久磁石により形成されかつ凹部４７ｅ内に磁力により吸着された状態で固定される被係止部４７ａとを有し、クリップ部４６ｂがカーテン本体１３の側縁を保持した状態で係止部４６ａが被係止部４７ａに磁力により吸着されるように構成されたことを特徴とする。
【００１０】
本発明の第２の観点は、図５に示すように、壁１６、窓枠又は天井に取付けられるカーテンレール１２と、このカーテンレール１２に沿って移動可能に取付けられ窓１４を覆うか又は部屋を区画するために用いられるカーテン本体１３とを備えたカーテンにおいて、カーテン本体１３の両側縁のうち少なくとも一側縁に係止手段５６が取外し不能又は取外し可能に取付けられ、カーテン本体１３によって窓１４を覆った状態又は部屋を区画した状態で係止手段５６を係止可能な被係止手段４７が係止手段５６に対向する壁１６、窓枠又は柱に取付けられ、係止手段５６が、強磁性体により形成された係止部５６ａと、カーテン本体１３を挟んで互いに離脱可能に結合される一対の挟持部５６ｂ，５６ｃとを有し、被係止手段４７が、壁１６、窓枠又は柱に取付けられプラスチックにより形成された取付部４７ｃと、一端が取付部４７ｃの一端に回動可能に枢着され強磁性体により形成されかつ取付部４７ｃに対して折畳んだときに露出する面に凹部４７ｅが形成された保持部４７ｂと、凹部４７ｅに収容可能に構成され永久磁石により形成されかつ凹部４７ｅ内に磁力により吸着された状態で固定される被係止部４７ａとを有し、一対の挟持部５６ｂ，５６ｃがカーテン本体１３を挟んで互いに結合された状態で係止部５６ａが被係止手段４７の被係止部４７ａに磁力により吸着されるように構成されたことを特徴とする。
【００１１】
本発明の第３の観点は、図６に示すように、壁１６、窓枠又は天井に取付けられるカーテンレール１２と、このカーテンレール１２に沿って移動可能に取付けられ窓１４を覆うか又は部屋を区画するために用いられるカーテン本体１３とを備えたカーテンにおいて、カーテン本体１３の両側縁のうち少なくとも一側縁に係止手段６６が取外し不能又は取外し可能に取付けられ、カーテン本体１３によって窓１４を覆った状態又は部屋を区画した状態で係止手段６６を係止可能な被係止手段６７が係止手段６６に対向する壁１６、窓枠又は柱に取付けられ、係止手段６６が、強磁性体により形成された係止部６６ａを有し、被係止手段６７が、壁１６、窓枠又は柱に取付けられプラスチックにより形成された取付部６７ｃと、一端が取付部６７ｃの一端に回動可能に枢着され強磁性体により形成されかつ取付部６７ｃに対して折畳んだときに露出する面に凹部６７ｅが形成された保持部６７ｂとを有し、保持部６７ｂが係止部６６ａを磁力により吸着させる被係止部６７ａとしての機能を有し、係止手段６６の係止部６６ａがカーテン本体１３を挟んだ状態で被係止手段６７の被係止部６７ａに磁力により吸着されるように構成されたことを特徴とする。
【００１４】
本発明の第４の観点は、第１ないし第３の観点のいずれかに基づく発明であって、更に図７に示すように、カーテン本体８３を束ねるタッセル８７が壁１６、窓枠又は柱に取付けられた房掛け８６に係止可能に構成され、被係止手段８４の被係止部８４ａ、第２面ファスナ又は受け部が房掛け８６に設けられたことを特徴とする。
【発明の効果】
【００１５】
本発明の第１の観点の光漏れ防止具では、カーテン本体により窓を覆ったとき又は部屋を区画したときに、カーテン本体に取付けられた係止手段を、壁等に取付けられた被係止手段に係止させる。これによりカーテン本体の側縁が壁等に固定されるので、カーテン本体の側縁と壁等との間の隙間が塞がれ、風が吹いてもカーテン本体の側縁がはためくことはない。この結果、室外の光又は区画された隣室の光がカーテン本体の側縁から室内に侵入するのを確実に防止できる。
【００１６】
また、本発明の第１の観点の光漏れ防止具では、カーテン本体により窓を覆ったとき又は部屋を区画したときに、係止手段のクリップ部をカーテン本体の側縁を挟むように取外し可能に取付けることにより、クリップ部がカーテン本体の側縁を一時的に保持し、この状態で壁等に取付けられた被係止部に係止部を磁力により吸着させることにより、係止部が被係止部に係止される。これによりカーテン本体の側縁が壁等に固定されるので、上記と同様にカーテン本体の側縁と壁等との間の隙間が塞がれ、風が吹いてもカーテン本体の側縁がはためくことはない。この結果、上記と同様に室外の光又は区画された隣室の光がカーテン本体の側縁から室内に侵入するのを確実に防止できる。また製造時にカーテン本体に係止手段を取付ける必要がないため、製造時における光漏れ防止具の加工工数及び組付工数を低減できる。更に被係止手段を壁等に取付けるときに、被係止部を係止部に対向させる位置合せが不要であるため、被係止手段を壁等に比較的容易に取付けることができる。
【００１７】
本発明の第２の観点の光漏れ防止具では、カーテン本体により窓を覆ったとき又は部屋を区画したときに、係止手段の一対の挟持部でカーテン本体を挟むことにより、一対の挟持部を互いに離脱可能に結合させ、この状態で壁等に取付けられた被係止部に係止部を磁力により吸着させることにより、係止部が被係止部に係止される。これによりカーテン本体の側縁が壁等に固定されるので、上記と同様にカーテン本体の側縁と壁等との間の隙間が塞がれ、風が吹いてもカーテン本体の側縁がはためくことはない。この結果、上記と同様に室外の光又は区画された隣室の光がカーテン本体の側縁から室内に侵入するのを確実に防止できる。また製造時にカーテン本体に係止手段を取付ける必要がないため、製造時における光漏れ防止具の加工工数及び組付工数を低減できる。更に被係止手段を壁等に取付けた後に、係止部が被係止部に対向するように係止手段をカーテン本体の側縁に取外し可能に取付けるため、被係止部に対する係止部の位置合せを比較的容易に行うことができる。
【００１８】
本発明の第３の観点の光漏れ防止具では、カーテン本体により窓を覆ったとき又は部屋を区画したときに、係止部を被係止部にカーテン本体を挟んだ状態で磁力により吸着させる。これによりカーテン本体の側縁が壁等に固定されるので、上記と同様にカーテン本体の側縁と壁等との間の隙間が塞がれ、風が吹いてもカーテン本体の側縁がはためくことはない。この結果、上記と同様に室外の光又は区画された隣室の光がカーテン本体の側縁から室内に侵入するのを確実に防止できる。また製造時にカーテン本体に係止手段を取付ける必要がないため、製造時における光漏れ防止具の加工工数及び組付工数を低減できる。更に被係止手段を壁等に取付けるときに、被係止部を係止部に対向させる位置合せが不要であるため、被係止手段を壁等に比較的容易に取付けることができる。
【００１９】
本発明の第４の観点の光漏れ防止具では、カーテン本体により窓を覆ったとき又は部屋を区画したときに、カーテン本体に取付けられた係止手段を、壁等に取付けられた房掛けの被係止部等に係止させる。これによりカーテン本体の側縁が壁等に固定されるので、カーテン本体の側縁と壁等との間の隙間が塞がれ、風が吹いてもカーテン本体の側縁がはためくことはない。この結果、上記と同様に室外の光又は区画された隣室の光がカーテン本体の側縁から室内に侵入するのを確実に防止できる。また被係止手段の被係止部等を房掛けに設けたので、部品点数の増大を抑制できるとともに、房掛けを壁等に取付けることにより、必然的に被係止手段が壁等に取付けられるので、被係止手段自体の壁等への取付作業を不要にすることができる。
【図面の簡単な説明】
【００２０】
【図１】（ａ）は本発明第１実施形態のカーテンの光漏れ防止具の被係止手段が収納された状態を示す図２のＡ−Ａ線断面図であり、（ｂ）はその光漏れ防止具の係止手段が被係止手段に係止した状態を示す図３のＢ−Ｂ線断面図である。
【図２】カーテン本体をタッセルで束ねて窓が開放されかつ光漏れ防止具の被係止手段が収納された状態を示す要部斜視図である。
【図３】カーテン本体で窓を覆って光漏れ防止具の係止手段が被係止手段に係止した状態を示す要部斜視図である。
【図４】（ａ）は本発明第２実施形態のカーテンの光漏れ防止具を示す図１（ａ）に対応する断面図であり、（ｂ）はその光漏れ防止具を示す図１（ｂ）に対応する断面図である。
【図５】（ａ）は本発明第３実施形態のカーテンの光漏れ防止具を示す図１（ａ）に対応する断面図であり、（ｂ）はその光漏れ防止具を示す図１（ｂ）に対応する断面図である。
【図６】（ａ）は本発明第４実施形態のカーテンの光漏れ防止具を示す図１（ａ）に対応する断面図であり、（ｂ）はその光漏れ防止具を示す図１（ｂ）に対応する断面図である。
【図７】（ａ）は本発明第５実施形態のカーテンの光漏れ防止具を示す図１（ａ）に対応する断面図であり、（ｂ）はその光漏れ防止具を示す図１（ｂ）に対応する断面図である。
【発明を実施するための形態】
【００２１】
次に本発明を実施するための形態を図面に基づいて説明する。（なお、以下に記載の「第１の実施の形態」は「参考の形態」である。）
＜第１の実施の形態＞
図１〜図３に示すように、カーテン１１は、窓１４の上縁に沿うように壁１６に取付けられるカーテンレール１２と、このカーテンレール１２に沿って移動可能に取付けられたカーテン本体１３とを備える。窓１４は部屋の壁１６に四角形状に形成された開口部であり、この窓１４には四角枠状の木製の窓枠１７とアルミ製の窓枠１８とが挿着される。そしてアルミ製の窓枠１８には、２枚の窓ガラス１９，１９が引き違いになるように水平方向に移動可能に取付けられる。壁１６は、室内側に設けられ石膏ボード等により形成された内壁部１６ａと、室外側に設けられサイディング等により形成された外壁部１６ｂと、内壁部１６ａ及び外壁部１６ｂ間に設けられた柱部１６ｃや断熱材（図示せず）等により構成される。
【００２２】
カーテンレール１２は、窓１４の上縁に沿って水平方向に延びるレール本体２１と、このレール本体２１を壁１６に取付けるブラケット２２と、レール本体２１の両端に装着されるエンドキャップ２３とを有する（図２及び図３）。レール本体２１の下面には、このレール本体２１の全長にわたって延びるレール溝２１ａが形成される。またレール本体２１は鋼板のプレス加工やアルミ合金の押出し加工又は引抜き加工等により形成される。更にブラケット２２，２２は所定の間隔をあけて２つ設けられる。これらのブラケット２２，２２は、略Ｌ字状に形成され、図示しないビスにより壁１６に取付けられて壁１６に密着する基部２２ａと、基部２２ａの下端に壁１６から離れる方向に突設され下面にレール本体２１が密着するレール受け部２２ｂとを有する。
【００２３】
一方、カーテン本体１３は可撓性を有する生地等により形成される。またカーテン本体１３の上縁には所定の間隔をあけて複数のフック（図示せず）が取付けられ、レール本体２１には複数のランナ（図示せず）が摺動可能に取付けられる。そして複数のフックを複数のランナにそれぞれ係合し、フックがランナとともにレール本体２１に沿って移動することにより、カーテン本体１３を展開又は折畳み可能に構成される。更に、カーテン１１は、この実施の形態では、１枚のカーテン本体１３で窓全体を覆う片開き式のカーテンである。即ち、カーテン本体１３の一端のフックをカーテンレール１２のエンドキャップ２３に係合させることにより、カーテン本体１３の一端がカーテンレール１２の一端に固定され、カーテン本体１３の他端をカーテンレール１２の一端から他端に向って移動させることによりカーテン本体１３が展開され、カーテン本体１３の他端をカーテンレール１２の他端から一端に向って移動させることによりカーテン本体１３が折畳まれるように構成される。なお、図２中の符号２４はカーテン本体１３を折畳んだ状態で束ねるタッセルである。このタッセル２４の両端には一対のリング（図示せず）が設けられ、これらのリングは、カーテンレール１２の一端側の壁１６、即ち窓１４の両側縁のうち一側縁側の壁１６に取付けられた房掛け（図示せず）に係止される。この房掛けは窓１４の一側縁近傍の壁１６に取付けられる。具体的には、房掛けは、折畳まれたカーテン本体１３の鉛直方向中央部に位置するように壁１６に取付けられる。
【００２４】
カーテン本体１３の両側縁下部には係止手段２６がそれぞれ取付けられる。図１及び図３には、カーテン本体１３の他側縁下部に取付けられた係止手段２６のみを示し、カーテン本体１３の一側縁下部に取付けられた係止手段を示していないけれども、両者とも同一に構成されるので、カーテン本体１３の他側縁下部に取付けられた係止手段２６を代表して説明する。この係止手段２６は、カーテン本体１３の他側縁下部のうち窓ガラス１９に対向する面に設けられた係止部２６ａと、カーテン本体１３の他側縁下部のうち窓ガラス１９とは反対側の面に設けられた固定部２６ｂとを有する。係止部２６ａ及び固定部２６ｂは鋼等の強磁性体により形成される。また固定部２６ｂがカーテン本体１３を挟んで係止部２６ａに圧入やカシメ等で係合することにより、係止手段２６がカーテン本体１３に取外し不能に取付けられる。
【００２５】
一方、カーテン本体１３によって窓１４を覆った状態、即ちカーテン本体１３を展開した状態で、被係止手段２７が係止手段２６に対向する壁１６（内壁部１６ａ及び柱部１６ｃ）に取付けられる。図１〜図３には、展開されたカーテン本体１３の他側縁下部の係止手段２６に対向する壁１６に取付けられた被係止手段２７のみを示し、展開されたカーテン本体１３の一側縁下部の係止手段に対向する壁１６に取付けられた被係止手段を示していないけれども、両者とも同一に構成されるので、展開されたカーテン本体１３の他側縁下部の係止手段２６に対向する壁１６に取付けられた被係止手段２７を代表して説明する。この被係止手段２７は、係止手段２６の係止部２６ａに係止可能な被係止部２７ａと、この被係止部２７ａを保持する保持部２７ｂと、保持部２７ｂを壁１６に取付ける取付部２７ｃと、保持部２７ｂ及び取付部２７ｃを連結するヒンジ部２７ｄとを有する。被係止部２７ａは永久磁石により円形又は四角形の板状に形成される。また保持部２７ｂ、取付部２７ｃ及びヒンジ部２７ｄはポリアセタール等のプラスチックにより一体的に形成される。保持部２７ｂには被係止部２７ａを収容可能な凹部２７ｅが形成され、取付部２７ｃには円錐台状の孔２７ｆが形成される（図１）。この円錐台状の孔２７ｆには、取付部２７ｃを壁１６（内壁部１６ａ及び柱部１６ｃ）に固定する皿ビス２８の頭部が収容され、この皿ビス２８は鋼等の強磁性体により形成される。
【００２６】
更にヒンジ部２７ｄは、薄肉に形成することにより可撓性及び柔軟性を有するインテグラルヒンジを構成し、このヒンジ部２７ｄを中心に保持部２７ｂを取付部２７ｃに対して回動可能に構成される。即ち、保持部２７ｂがヒンジ部２７ｄを中心に取付部２７ｃに対して回動することにより、保持部２７ｂが取付部２７ｃに重なる収納状態（図１（ａ））と、保持部２７ｂが取付部２７ｃに対して略直角になる使用状態（図１（ｂ））とに変更可能に構成される。凹部２７ｅは保持部２７ｄの両面のうち上記収納状態で室内に露出する面に形成される。なお、上記収納状態では、永久磁石により形成された被係止部２７ａと強磁性部材により形成された皿ビス２８との間に働く磁力（互いに引き合う力）により、収納状態が維持され、意図せずに保持部２７ｂが取付部２７ｃから離脱しないように構成される。これにより上記収納状態では、保持部２７ｂが室内に突出しないので、物品等が保持部２７ｂに引っ掛かることはない。
【００２７】
このように構成されたカーテン１１の光漏れ防止具の使用方法を説明する。室外の光が室内に差し込んで眩しいときには、先ずカーテン本体１３を束ねているタッセル２４（図２）のリングを房掛けから外し、カーテン本体１３の他側縁を把持してカーテン本体１３をカーテンレール１２に沿って移動させ、カーテン本体１３を展開する。次にこの展開されたカーテン本体１３の他側縁下部の係止手段２６に対向する壁１６に取付けられた被係止手段２７の保持部２７ｂを把持して、被係止部２７ａ及び皿ビス２８間の磁力に抗して手前に引き、保持部２７ｂが取付部２７ｃに対して略直角になる使用状態にした後に、カーテン本体１３の他側縁下部の係止部２６ａを上記使用状態の被係止部２７ａに係止させる（図３）。更に図示しないが、展開されたカーテン本体１３の一側縁下部の係止手段に対向する壁１６に取付けられた被係止手段の保持部を把持して、上記と同様に保持部が取付部に対して略直角になる使用状態にした後に、カーテン本体１３の一側縁下部の係止部を上記使用状態の被係止部に係止させる。これによりカーテン本体１３の両側縁の下部が壁１６にそれぞれ固定されるので、カーテン本体１３の両側縁と壁１６との間の隙間が塞がれ、ガラス窓１９を開けて風が吹き込んでもカーテン本体１３の両側縁がはためくことはない。この結果、室外の光がカーテン本体１３の両側縁から室内に侵入するのを確実に防止できる。
【００２８】
＜第２の実施の形態＞
図４は本発明の第２の実施の形態を示す。図４において図１と同一符号は同一部品を示す。この実施の形態では、係止手段４６がカーテン本体１３の側縁を一時的に保持可能なクリップ部４６ｂを有し、クリップ部４６ｂがカーテン本体１３の側縁を保持した状態で係止部４６ａが被係止手段４７の被係止部４７ａに磁力により吸着されるように構成される。具体的には、係止手段４６のクリップ部４６ｂは、鋼板等の強磁性体により形成された一対のアーム４６ｃ，４６ｄと、これらのアーム４６ｃ，４６ｄの中央を枢着するピン４６ｅと、一対のアーム４６ｃ，４６ｄの基端を互いに離す方向に付勢しかつ一対のアーム４６ｃ，４６ｄの先端を互いに密着させる方向に付勢する捩りコイルばね（図示せず）とを有する。また被係止手段４７は、皿ビス４８により壁１６に取付けられポリアセタール等のプラスチックにより形成された取付部４７ｃと、一端が取付部４７ｃの一端にピン４７ｄを介して回動可能に枢着され鋼等の強磁性体により形成されかつ取付部４７ｃに対して折畳んだときに露出する面に凹部４７ｅが形成された保持部４７ｂと、この保持部４７ｂの凹部４７ｅに収容可能に構成され永久磁石により円板状に形成されかつ凹部４７ｅ内に磁力により吸着された状態で固定される被係止部４７ａとを有する。上記クリップ部４６ｂの一対のアーム４６ｃ，４６ｄのいずれか一方は、上記被係止部４７ａに磁力により吸着される係止部４６ａとしての機能を有する。また一対のアーム４６ｃ，４６ｄの基端を把持して、一対のアーム４６ｃ，４６ｄの先端によりカーテン本体１３の側縁を挟むことにより、係止手段４６がカーテン本体１３の側縁に取外し可能に取付けられる。上記以外は第１の実施の形態と同一に構成される。
【００２９】
このように構成されたカーテンの光漏れ防止具では、カーテン本体１３により窓１４を覆ったときに、係止手段４６のクリップ部４６ｂをカーテン本体１３の側縁を挟むように取外し可能に取付けることにより、クリップ部４６ｂがカーテン本体１３の側縁を一時的に保持し、この状態で壁１６に取付けられた被係止部４７ａに係止部４６ａを磁力により吸着させることにより、係止部４６ａが被係止部４７ａに係止される。これによりカーテン本体１３の側縁が壁１６に固定されるので、カーテン本体１３の側縁と壁１６との間の隙間が塞がれ、風が吹いてもカーテン本体１３の側縁がはためくことはない。この結果、室外の光がカーテン本体１３の側縁から室内に侵入するのを確実に防止できる。また製造時にカーテン本体１３に係止手段４６を取付ける必要がないため、製造時における光漏れ防止具の加工工数及び組付工数を低減できる。更に被係止手段４７を壁１６に取付けるときに、被係止部４７ａを係止部４６ａに対向させる位置合せが不要であるため、被係止手段４７を壁１６に比較的容易に取付けることができる。
【００３０】
＜第３の実施の形態＞
図５は本発明の第３の実施の形態を示す。図５において図１と同一符号は同一部品を示す。この実施の形態では、係止手段５６がカーテン本体１３を挟んで互いに離脱可能に結合される一対の挟持部５６ｂ，５６ｃを有し、一対の挟持部５６ｂ，５６ｃがカーテン本体１３を挟んで互いに結合された状態で係止部５６ａが被係止手段４７の被係止部５７ａに磁力により吸着されるように構成される。具体的には、被係止手段４７は第２の実施の形態と同一に構成される。また一対の挟持部５６ｂ，５６ｃのうち一方の挟持部５６ｂは鋼等により円板状に形成され、他方の挟持部５６ｃは鋼等により小径の円錐台状に形成される。また一方の挟持部５６ｂ，５６ｃの中央にはカーテン本体１３を貫通可能な細長いピン５６ｄが突設され、このピン５６ｄは他方の挟持部に形成された穴（図示せず）に挿入される。更に他方の挟持部５６ｃには穴内のピン５６ｄを開放可能に締付ける締付け機構（図示せず）が設けられる。図５（ｂ）中の符号５６ｅは他方の挟持部５６ｃの穴内のピン５６ｄの締付けを緩めてピン５６ｄを開放するために操作する操作部である。上記以外は第１の実施の形態と同一に構成される。
【００３１】
このように構成されたカーテンの光漏れ防止具では、カーテン本体１３により窓１４を覆ったときに、係止手段５６の一対の挟持部５６ｂ，５６ｃでカーテン本体１３を挟むことにより、一対の挟持部５６ｂ，５６ｃを互いに離脱可能に結合させ、この状態で壁１６に取付けられた被係止部４７ａに係止部５６ａを磁力により吸着させることにより、係止部５６ａが被係止部４７ａに係止される。これによりカーテン本体１３の側縁が壁１６に固定されるので、カーテン本体１３の側縁と壁１６との間の隙間が塞がれ、風が吹いてもカーテン本体１３の側縁がはためくことはない。この結果、室外の光がカーテン本体１３の側縁から室内に侵入するのを確実に防止できる。また製造時にカーテン本体１３に係止手段５６を取付ける必要がないため、製造時における光漏れ防止具の加工工数及び組付工数を低減できる。更に被係止手段４７を壁１３に取付けた後に、係止部５６ａが被係止部５７ａに対向するように係止手段５６をカーテン本体１３の側縁に取外し可能に取付けるため、被係止部４７ａに対する係止部５６ａの位置合せを比較的容易に行うことができる。
【００３２】
＜第４の実施の形態＞
図６は本発明の第４の実施の形態を示す。図６において図１と同一符号は同一部品を示す。この実施の形態では、係止手段６６の係止部６６ａがカーテン本体１３を挟んだ状態で被係止手段６７の被係止部６７ａに磁力により吸着されるように構成される。具体的には、被係止手段６７は、第２及び第３の実施の形態の被係止手段により構成される。即ち、被係止手段６７は、皿ビス４８により壁１６に取付けられポリアセタール等のプラスチックにより形成された取付部６７ｃと、一端が取付部６７ｃの一端にピン６７ｄを介して回動可能に枢着され鋼等の強磁性体により形成されかつ取付部６７ｃに対して折畳んだときに露出する面に凹部６７ｅが形成された保持部６７ｂとを有する。また係止手段６６は、上記保持部６７ｂの凹部６７ｅにカーテン本体１３を挟んで収容可能に構成され永久磁石により円板状に形成された係止部６６ａを有する。更に被係止手段６７の保持部６７ｂは、係止手段６６の係止部６６ａを磁力により吸着させる被係止部６７ａとしての機能を有する。上記以外は第２の実施の形態と同一に構成される。
【００３３】
このように構成されたカーテンの光漏れ防止具では、カーテン本体１３により窓１４を覆ったときに、係止部６６ａを被係止部６７ａにカーテン本体１３を挟んだ状態で磁力により吸着させる。これによりカーテン本体１３の側縁が壁１６に固定されるので、カーテン本体１３の側縁と壁１６との間の隙間が塞がれ、風が吹いてもカーテン本体１３の側縁がはためくことはない。この結果、室外の光がカーテン本体１３の側縁から室内に侵入するのを確実に防止できる。また製造時にカーテン本体１３に係止手段６６を取付ける必要がないため、製造時における光漏れ防止具の加工工数及び組付工数を低減できる。更に被係止手段６７を壁１６に取付けるときに、被係止部６７ａを係止部６６ａに対向させる位置合せが不要であるため、被係止手段６７を壁１６に比較的容易に取付けることができる。
【００３４】
＜第５の実施の形態＞
図７は本発明の第５の実施の形態を示す。図７において図１と同一符号は同一部品を示す。この実施の形態では、被係止手段８４の被係止部８４ａが房掛け８６に設けられる。カーテン８１は、この実施の形態では、２枚のカーテン本体８３で窓１４全体を覆う両開き式のカーテンである。即ち、一方のカーテン本体（図示せず）の一端のフック（図示せず）をカーテンレール（図示せず）の一方のエンドキャップ（図示せず）に係合させることにより、一方のカーテン本体の一端がカーテンレールの一端に固定され、他方のカーテン本体８３の一端のフック（図示せず）をカーテンレールの他方のエンドキャップ（図示せず）に係合させることにより、他方のカーテン本体８３の一端がカーテンレールの他端に固定される。そして一方のカーテン本体の他端をカーテンレールの一端から中央に向って移動させ、他方のカーテン本体８３の他端をカーテンレールの他端から中央に向って移動させることにより、２枚のカーテン本体８３がそれぞれ展開されて窓１４を覆うように構成される。また一方のカーテン本体の他端をカーテンレールの中央から一端に向って移動させ、他方のカーテン本体８３の他端をカーテンレールの中央から他端に向って移動させることにより、２枚のカーテン本体８３がカーテンレールの両端にそれぞれ折畳まれるように構成される。更に一方のカーテン本体の他端中央には永久磁石又は強磁性体により形成された第１係合具（図示せず）が設けられ、他方のカーテン本体８３の他端中央には強磁性体又は永久磁石により形成された第２係合具（図示せず）が設けられ、２枚のカーテン本体８３の展開時に第１係合具と第２係合具とが係合するように構成される。
【００３５】
一方、窓１４の両側縁近傍の壁１６には２つの房掛け８６がそれぞれ取付けられる。具体的には、一方の房掛け（図示せず）は、折畳まれた一方のカーテン本体の鉛直方向中央部に位置するように壁１６に取付けられ、他方の房掛け８６は、折畳まれた他方のカーテン本体８３の鉛直方向中央部に位置するように壁に取付けられる。これらの房掛け８６は、壁１６（内壁部１６ａ及び柱部１６ｃ）に取付けられる取着部８６ａと、取着部８６ａから突設された小径の柱状部８６ｂと、柱状部８６ｂの先端に設けられ柱状部８６ｂより面積の大きな厚板状の板状部８６ｃとを有する。取着部８６ａ、柱状部８６ｂ及び板状部８６ｃは、プラスチックや軽量合金等により一体的に形成される。また柱状部８６ｂには、カーテン本体８３を束ねるタッセル８７の両端に設けられたリング８７ａ，８７ｂが係止可能に構成される。更に上記被係止手段８４の被係止部８４ａは板状部８６ｃの表面に形成された凹部８６ｄに収容される。更に２枚のカーテン本体８３の一側縁の鉛直方向中央部には係止手段２６がそれぞれ取付けられる。これらの係止手段２６は、カーテン本体８３の一側縁の鉛直方向中央部のうち窓ガラス１９に対向する面に設けられた係止部２６ａと、カーテン本体８３の一側縁の鉛直方向中央部のうち窓ガラス１９とは反対側の面に設けられた固定部２６ｂとを有する。上記以外は第１の実施の形態と同一に構成される。
【００３６】
このように構成されたカーテン８１の光漏れ防止具の使用方法を説明する。室外の光が室内に差し込んで眩しいときには、先ず２枚のカーテン本体８３をそれぞれ束ねているタッセル８７の一方のリング８７ａを房掛け８６から外し、一方のカーテン本体の他側縁を把持して一方のカーテン本体を展開し、他方のカーテン本体８３の他側縁を把持して他方のカーテン本体８３を展開する。次に一方のカーテン本体の他側縁の第１係合具と他方のカーテン本体８３の他側縁の第２係合具を係合させる。更に一方のカーテン本体の一側縁の係止部を一方の房掛けの被係止部に係止し（図７（ｂ））、他方のカーテン本体８３の一側縁の係止部２６を他方の房掛け８６の被係止部２７ａに係止する。これにより２枚のカーテン本体８３の他側縁同士が密着した状態に保たれるとともに、２枚のカーテン本体８３の一側縁の鉛直方向中央部が壁１６にそれぞれ固定されて２枚のカーテン本体８３の一側縁と壁１６との間の隙間が塞がれるので、ガラス窓１９を開けて風が吹き込んでも２枚のカーテン本体８３の両側縁がはためくことはない。この結果、室外の光が２枚のカーテン本体８３の両側縁から室内に侵入するのを確実に防止できる。また被係止手段８４の被係止部８４ａを房掛け８６に設けたので、部品点数の増大を抑制できるとともに、房掛け８６を壁１６に取付けることにより、必然的に被係止手段８４が壁１６に取付けられるので、被係止手段８４自体の壁１６への取付作業を不要にすることができる。
【００３７】
なお、上記第１〜第５の実施の形態では、カーテンレールを壁に取付けたが、カーテンレールを窓枠や天井に取付けてもよい。また、上記第１の実施の形態では、被係止手段を壁（内装材及び柱）に取付けたが、被係止手段を窓枠又は露出した柱に取付けてもよい。また、上記第５の実施の形態では、房掛けを壁（内装材及び柱）に取付けたが、房掛けを窓枠又は露出した柱に取付けてもよい。
【００３８】
また、上記第１〜第３の実施の形態では、係止手段が強磁性体により形成された係止部を有し、かつ被係止手段が永久磁石により形成された被係止部を有したが、係止手段が永久磁石により形成された係止部を有し、かつ被係止手段が強磁性体により形成された被係止部を有したり、或いは係止手段及び被係止手段が永久磁石により形成された係止部及び被係止部をそれぞれ有し、かつ係止部及び被係止部を極性の異なる永久磁石によりそれぞれ形成してもよい。また係止手段が第１面ファスナを有し、かつ被係止手段が第１面ファスナに係止可能な第２面ファスナを有するように構成したり、或いは係止手段がピンを有し、かつ被係止手段がピンを挿入可能な受け具を有するように構成してもよい。
【００３９】
また、上記第４及び第５の実施の形態では、係止手段の係止部を永久磁石により形成し、かつ被係止手段の被係止部を強磁性体により形成したが、係止手段の係止部を強磁性体により形成し、かつ被係止手段の被係止部を永久磁石により形成したり、或いは係止部及び被係止部を極性の異なる永久磁石によりそれぞれ形成してもよい。また係止手段が第１面ファスナを有し、かつ第１面ファスナに係止可能な第２面ファスナを房掛けに設けたり、或いは係止手段がピンを有し、かつピンを挿入可能な受け具を房掛けに設けてもよい。
【００４０】
また、上記第２〜第４の実施の形態では、被係止手段において、壁に取付けられる取付部と被係止部を保持する保持部とを別々に形成し、取付部にピンを介して保持部を回動可能に枢着したが、取付部及び保持部をゴム等の軟らかい材料により一体的に形成し、取付部と保持部の連結部分を薄肉に形成することにより、保持部を取付部に対して回動可能に構成してもよい。更に、上記第１〜第５の実施の形態では、カーテン本体により窓を覆ったが、カーテン本体により部屋を区画してもよい。この場合、カーテンレールは天井に取付けられる。このように構成されたカーテンの光漏れ防止具では、カーテン本体により部屋を区画したときに、カーテン本体に取り付けられた係止手段を、天井に取付けられた被係止手段に係止させる。これによりカーテンの側縁の鉛直方向中央部又は下部が壁等に固定されるので、風が吹いても、カーテンの側縁がはためくことはない。この結果、区画された隣室の光がカーテン本体の側縁から室内に侵入するのを確実に防止できる。
【符号の説明】
【００４１】
１１，８１  カーテン
１２  カーテンレール
１３，８３  カーテン本体
１４  窓
１６  壁
２４，８７  タッセル
２６，４６，５６，６６  係止手段
２６ａ，４６ａ，５６ａ，６６ａ  係止部
２７，４６，５６，６６，８４  被係止手段
２７ａ，４７ａ，５７ａ，６７ａ，８４ａ  被係止部
４６ｂ  クリップ部
５６ｂ，５６ｃ  挟持部
８６  房掛け
【図１】
0006009807.tif 000002
【図２】
0006009807.tif 000003
【図３】
0006009807.tif 000004
【図４】
0006009807.tif 000005
【図５】
0006009807.tif 000006
【図６】
0006009807.tif 000007
【図７】
0006009807.tif 000008